(57)【要約】  本発明は、「組み立て式」靴またはモカシンの製造方法に関するものであり、これらは、基本的に馬蹄形カラーからなる専用の硬質なフレーム(２)からなり、偽のヒールの内側に得られたスペース(８)の中に挿入される緩衝インサート(３)を含んでいる。
2009523529.tif 000002
【特許請求の範囲】
【請求項１】
ヒール内に緩衝インサートを備えた靴の製造方法であって、
前記製造方法は、
スプリング(Ｍ)によって接続されたヒール(１ａ)および中間ソール(１ｂ)から形成されたタイプの専用の靴型(１)であって、前記ヒール(１ａ)は、ヒール(１ｃ)が前記ヒール(１ａ)よりわずかに小さいために、段部(１ｄ)を用いて前記ヒールに結合される、ある種の前記ヒール(１ｃ)を含んでいる専用の靴型(１)と、
前記ヒール(１ｃ)を囲み、かつ基本的に馬蹄形カラーからなる専用の硬質なフレーム(２)と、
前記ヒールの下方で靴(Ｓ)の内部に収容される緩衝インサート(３)と、
を使用することを特徴とし、
かつ前記製造方法は、
ａ)前記靴型(１)の前記ヒール(１ｃ)に前記フレーム(２)をダブテール方式で配設する工程と、
ｂ)公知手段を用いて、かつ取り外し可能なように前記靴型(１)の下方へ従来型の中間ソール(４)を固定する工程であって、その下側ソールを、前記中間ソール(４)によって、つま先からヒールまで完全に覆い、その中央部分(４ａ)を、前記ヒール(１ｃ)の横方向前方縁部(１ｃ’)の上に載るように、わずかに二回折り曲げる工程と、
ｃ)前記靴型(１)にアッパー(５)を密着させる工程と、
ｄ)前記中間ソール(４)の縁部の下方に、公知の手段を用いて前記アッパー(５)の周縁部(５ａ)を折り込み、引っ張り、かつ固定する工程であって、これによって、前記アッパー(５)によって覆われた前記馬蹄形フレーム(２)によって覆う工程と、
ａ)前記中間ソール(４)の上に従来型のソール(６)を配設し、かつ固定する工程と、
ｆ)公知の手段を用いて前記ソール(６)の上にヒール層(７)を配設し、かつ固定する工程と、
ｇ)前記靴型(１)から前記靴を取り外し、かつ前記馬蹄形フレーム(２)によって囲まれたスペース(８)の中にぴったりと収容できるように、前記ヒール(１ｃ)と同一の形状およびサイズを備えた前記緩衝インサート(３)を嵌め込む工程と、
ｈ)前記インサート(３)を覆い隠すように構成された、インソール(９)を前記靴(Ｓ)の内部に固定する工程と、
を含むことを特徴とする靴の製造方法。
【請求項２】
ヒール内に緩衝インサートを備えた靴の製造方法であって、
前記製造方法は、
スプリング(Ｍ)によって接続されたヒール(１ａ)および中間ソール(１ｂ)から形成されたタイプの専用の靴型(１)であって、前記ヒール(１ａ)は、ヒール(１ｃ)が前記ヒール(１ａ)よりわずかに小さいために、段部(１ｄ)を用いて前記ヒールに結合される、ある種の前記ヒール(１ｃ)を含んでいる専用の靴型(１)と、
前記ヒール(１ｃ)を囲み、かつ基本的に馬蹄形カラーからなる専用の硬質なフレーム(２)と、
前記ヒールの下方で靴(Ｓ)の内部に収容される緩衝インサート(３)と、
を使用することを特徴とし、
かつ前記製造方法は、
ｂ)公知手段を用いて、かつ取り外し可能なように前記靴型(１)の下方へ従来型の中間ソール(４)を固定する工程であって、その下側ソールを、前記中間ソール(４)によって、つま先からヒールまで完全に覆い、その中央部分(４ａ)を、前記ヒール(１ｃ)の横方向前方縁部(１ｃ’)の上に載るように、わずかに二回折り曲げる工程と、
ｃ)前記靴型(１)にアッパー(５)を密着させる工程と、
Ｃ)前記中間ソール(４)の縁部の下方に、公知の手段を用いて前記アッパー(５)の周縁部(５ａ)を折り込み、引っ張り、かつ固定する工程と、
Ｄ) 前記馬蹄形フレーム(２)を前記ヒール(１ｃ)にダブテール方式で配設する工程であって、前記フレーム(２)によって、前記ヒール(１ｃ)を囲むとともにそれを覆うアッパー(５)の一部において、前記アッパー(５)を覆う工程と、
Ｅ)公知の手段を用いて前記中間ソール(４)の上に従来型のソール(６)を配設し、かつ固定する工程と、
Ｆ)公知の手段を用いて前記ソール(６)の上にヒール層(７)を配設し、かつ固定する工程と、
Ｇ)前記靴型(１)から前記靴を取り外し、かつ前記馬蹄形フレーム(２)によって囲まれたスペース(８)の中にぴったりと収容できるように、前記ヒール(１ｃ)と同一の形状およびサイズを備えた前記緩衝インサート(３)を嵌め込む工程と、
Ｈ)前記インサート(３)を覆い隠すように構成された、インソール(９)を前記靴(Ｓ)の内部に固定する工程と、
を含むことを特徴とするヒールに緩衝インサートを備えた靴の製造方法。
【請求項３】
ヒール内に緩衝インサートを備えた靴の製造方法であって、
前記製造方法は、
スプリング(Ｍ)によって接続されたヒール(１ａ)および中間ソール(１ｂ)から形成されたタイプの専用の靴型(１)であって、前記ヒール(１ａ)は、ヒール(１ｃ)が前記ヒール(１ａ)よりわずかに小さいために、段部(１ｄ)を用いて前記ヒールに結合される、ある種の前記ヒール(１ｃ)を含んでいる専用の靴型(１)と、
前記ヒール(１ｃ)を囲み、かつ基本的に馬蹄形カラーからなる専用の硬質なフレーム(２)と、
前記ヒールの下方で靴(Ｓ)の内部に収容される緩衝インサート(３)と、
前記ヒールの下方の領域に大開口(５０ａ)を備えたサックアッパー(５０)と、
を使用することを特徴とし、
かつ前記製造方法は、
Ａ１)前記ヒール(１ｃ)が前記サックアッパー(５０)の前記開口(５０ａ)に挿入され、かつそこから突出するように、靴型(１)にサックアッパー(５０)を配置する工程と、
Ｂ１)前記靴のアッパーフラップ(Ｐ)の縁部において、公知の手段によって、前記アッパー(５０)の周縁部(５０ｂ)を折り込み、引っ張り、かつ固定する工程と、
Ｃ１)前記ヒール(１ｃ)に前記フレーム(２)をダブテール方式で配設する工程と、
Ｄ１)公知の手段を用いてサックアッパー(５０)の下方に従来型のソール(６)配設し、かつ固定する工程と、
Ｅ１)公知の手段を用いて前記ソール(６)の上にヒール層(７)を配設し、かつ固定する工程と、
Ｆ１)前記靴型(１)から前記靴を取り外し、かつ前記馬蹄形フレーム(２)によって囲まれたスペース(８)の中にぴったりと収容できるように、前記ヒール(１ｃ)と同一の形状およびサイズを備えた前記緩衝インサート(３)を嵌め込む工程と、
Ｇ１)前記インサート(３)を覆い隠すように構成された、インソール(９)を前記靴(Ｓ)の内部に固定する工程と、
を含むことを特徴とするヒールに緩衝インサートを備えた靴の製造方法。
【請求項４】
前記フレーム(２)を前記靴型(１)と結合するときに、前記馬蹄形フレーム(２)を、前記ヒール(１ｃ)の下側を覆うために使用される下側ベース(２ａ)を用いて閉塞することを特徴とする請求項１ないし請求項３のいずれか一項に記載の方法。
【請求項５】
前記馬蹄形フレーム(２)は、レザーまたは多層レザーを模造するか、もしくはレザーあるいは多層レザー片を用いて被覆される外面仕上げ材を有することを特徴とする請求項２ないし請求項４のいずれか一項に記載の方法。
【請求項６】
請求項１ないし請求項５のいずれか一項に記載の前記方法を用いて得られた靴。
【発明の詳細な説明】
【技術分野】
【０００１】
産業発明に関するこの特許出願は、ヒールに緩衝インサートを備えた「組み立て式」靴の製造方法に関するものである。
【０００２】
この特許の保護はまた、本発明に基づく方法を用いて得られた靴にも及ぶ。
【背景技術】
【０００３】
「組み立て式」靴とは、足の形状を再現した靴型の使用によって得られた靴である。靴型を取り外しできるように、アッパーが靴型の上に配置され、そして、このアッパーの下側端部が靴型の表面にあらかじめ固定されていた中間ソールの下側に折り込まれ、引っ張られ、そして固定される。
【０００４】
アッパーが中間ソールに配置された後、ソールおよびヒールが中間ソールの下側に配置され、かつ固定される。
【発明の開示】
【発明が解決しようとする課題】
【０００５】
本発明の目的は、上記技術を改良することであるが、これは、歩行時に足が地面に接するたびに、地面に接するヒールの衝撃を吸収できる軟質で、弾性的で、変形可能な材料で作られたインサートを収容するために使用されるヒールの残存領域にスペースを得るために、長い間用いられてきた。
【０００６】
ランニングシューズ、バスケットボールシューズ、またはバレーボールシューズなどのすべてのスポーツおよびレジャータイム用の靴は、一般に、ランニングまたはジャンプをするときに、地面に接したヒールの衝撃を和らげるように構成された、軟質のゴムまたは空気で満たされたリングから作られたクッションなどのような弾性インサートを用いた成型ボトムを備えている。
【０００７】
このインサートは、もっぱら成型ボトムを備えた靴によって使用されるものであり、この中に、成型中に、インサートを収納するためのある形状または深さの空洞内を得ることができ、そして、それは通常、取り外しでき、洗浄でき、かつ交換できるタイプのインソールによって覆われている。
【０００８】
「組み立て式」靴の場合、インソールが実質的に中間ソールの上部を覆うように、アッパーの縁部は中間ソールとソールとの間の周辺部において折り込まれ、かつ固定され、中間ソールの上に緩衝インサート用のハウジングを得ることができない。
【０００９】
ヒールは常に、硬質であるとともにヒール層を備えて仕上げられており、そしてそれゆえ「組み立て式」靴の中には、耐衝撃インサートを導入するためのスペースあるいは手立てがなかった。
【００１０】
上記のとおり本発明の目的は、今まで成型ボトムを備えたスポーツシューズにもっぱら使用されてきた緩衝インサートを備えた、これらのクラシカルな靴を提供するために、従来の「組み立て式」靴の製造方法を改良することである。
【課題を解決するための手段】
【００１１】
本発明の製造方法によれば、ある種のヒールによって特徴づけられる新しい「靴型」が使用されるが、これは、いったん靴が完成され、そしてこの「靴型」から取り外されると、靴の内側に下方ハウジングを形成し、これは従来型のインソールの下方で覆われ、かつ隠されるように構成された緩衝インサートを収容するのに十分に深いものである。
【発明を実施するための最良の形態】
【００１２】
さらなる理解のために、本発明の方法について、単なる例証であって、限定を意図していない図面を参照してより詳細に説明する。これに関して、一連の作業工程については、個々の作業段階から得られる半製品の概略図を用いて説明する。
【００１３】
図１および図２を参照すると、本発明の製造方法は、スプリング(Ｍ)によって接続されたヒール(１ａ)および中間ソール(１ｂ)から形成されたタイプの専用の「靴型」(１)を使用し、それは中間ソール(１ｂ)に対してヒール(１ａ)を取り外すことを可能にし、したがって、靴型(１)を用いて実施されるすべての作業工程が完了したとき、靴型(１)から靴を取り外すことができる。
【００１４】
従来構造を備えた、この靴型(１)の特徴は、それが、ヒール(１ｃ)がヒール(１ａ)よりわずかに小さいために、段部(１ｄ)を用いてヒールに結合される、ある種のヒール(１ｃ)を含んでいるヒール(１ａ)を備えていることである。
【００１５】
さらに、本発明の製造方法は、好ましくはフレーム(２)が靴型(１)に結合されるときに、ヒール(１ｃ)の下側を覆うために使用される下側ベース(２ａ)によって閉塞される、基本的に馬蹄形カラーからなり、かつヒール(１ｃ)を囲む専用の硬質なフレーム(２)を使用する(ただし、必須ではない)。
【００１６】
さらに、本発明の製造方法は、ヒールの下方で靴の内部に収容される緩衝インサート(３)を使用する。
【００１７】
好ましい実施形態によれば、本発明の製造方法は、以下の一連の工程、すなわち、
ａ) 図４Ａに示すように、靴型(１)のヒール(１ｃ)にフレーム(２)をダブテール方式で配置する工程と、
ｂ)図４Ｂに示すように、公知手段を用いて、かつ取り外し可能なように靴型(１)の下方へ従来型の中間ソール(４)を固定する工程であって、その下側ソールを、中間ソール(４)によって、つま先からヒールまで完全に覆い、その中央部分(４ａ)を、ヒール(１ｃ)の横方向前方縁部(１ｃ’)の上に載るように、わずかに二回折り曲げる工程と、
ｃ)靴型(１)にアッパー(５)を密着させる工程と、
ｄ) 図４Ｃに示すように、中間ソール(４)の縁部の下方に、公知の手段を用いてアッパー(５)の周縁部(５ａ)を折り込み、引っ張り、そして固定する工程であって、これによって、アッパー(５)によって覆われた馬蹄形フレーム(２)によって覆う工程と、
ａ) 図４Ｄに示すように、中間ソール(４)の上に従来型のソール(６)を配置し、かつ固定する工程と、
ａ) 図４Ｅに示すように、公知の手段を用いてソール(６)の上にヒール層(７)を配置し、かつ固定する工程と、
ｇ) 図４Ｆに示すように、靴型(１)から靴を取り外し、そして馬蹄形フレーム(２)によって囲まれたスペース(８)の中にぴったりと収容できるように、かつ、完成した靴(Ｓ)に永続的に組み込まれているように構成され、またインサート（３）を覆う従来型インソール(９)の下側に覆われる、ヒール(１ｃ)と同一の形状およびサイズを備えた緩衝インサート(３)を嵌め込む工程と、を含む。
【００１８】
完成した靴(Ｓ)は、アッパー(５)を用いて覆われたヒールの存在によって美的に特徴づけられており、このアッパー（５）は、靴(Ｂ)の開口境界(Ｂ)から偽のヒールまで連続して延在しており、ヒール層(７)においてのみ中断されている。使用者が靴（Ｓ）に対してトラディショナルなデザインを与えることを好む場合、ヒールを覆われていないままにしておくアッパー(５)を用いて、以下の（Ａ〜Ｇ工程として示す）とおり、ａ)に記述された第１の作業工程を後回しにすることが、ただ必要なだけとなる。
Ａ) 図５Ａに示すように、公知手段を用いて、かつ取り外し可能なように靴型(１)の下方へ従来型の中間ソール(４)を固定する工程であって、その下側ソールを、中間ソール(４)によって、つま先からヒールまで完全に覆い、その中央部分(４ａ)を、ヒール(１ｃ)の横方向前方縁部(１ｃ’)の上に載るように、わずかに二回折り曲げる工程
ｃ)靴型(１)にアッパー(５)を密着させる工程
Ｃ) 図５Ｂに示すように、中間ソール(４)の縁部の下方に、公知の手段を用いてアッパー(５)の周縁部(５ａ)を折り込み、引っ張り、そして固定する工程
Ｄ) 図５Ｃに示すように、馬蹄形フレーム(２)をヒール(１ｃ)にダブテール方式で配置する工程であって、フレーム(２)によって、ヒール(１ｃ)を囲むとともにそれを覆うアッパー(５)の一部において、アッパー(５)を覆う工程
Ｅ) 図５Ｄに示すように、中間ソール(４)の上に従来型のソール(６)を配置し、かつ固定する工程
Ｆ) 図５Ｅに示すように、ソール(６)の上にヒール層(７)を配置し、かつ固定する工程
Ｇ) 図５Ｆに示すように、靴型(１)から靴を取り外し、そして馬蹄形フレーム(２)によって囲まれたスペース(８)の中にぴったりと収容できるように、かつ、完成した靴(Ｓ)に永続的に組み込まれているように構成され、インサート（３）を覆う従来型インソール(９)の下側に覆われる、ヒール(１ｃ)と同一の形状およびサイズを備えた緩衝インサート(３)を嵌め込む工程
【００１９】
本発明の方法の、この実施形態によれば、フレーム(２)が靴(Ｓ)の外側に見えるように配置されているため、フレーム(２)は完全に従来型ヒールの美的な外見を模造したものとなるように、レザーまたは多層レザーを模造するか、もしくはレザーあるいは多層レザー片を用いて被覆される外面を備えたフレーム(２)を使用する必要がある。
【００２０】
本発明の製造方法ではまた、靴型(１)の下側ではなく、靴型(１)の周囲で側方に、かつ上方に向かって、その縁部を折り込まれた「サック」アッパーを使用できる。このタイプのアッパーは完全に、靴型(１)のソールを覆い、そしてモカシンの製造に使用される。
【００２１】
図７に示すように、採用すべき唯一の処置は、足のヒールの下方で、「サック」アッパー(５０)に大開口(５０ａ)を設けることである。
【００２２】
「サック」アッパーが靴型(１)に配置されるとき、靴型(１)のヒール(１ｃ)は、この開口に挿入され、かつ、そこから突出する。
【００２３】
この場合において、本発明の製造方法は、以下の一連の工程、すなわち、
Ａ１) 図６Ａに示すように、ヒール(１ｃ)がサックアッパー(５０)の開口(５０ａ)に挿入され、かつそこから突出するように、靴型(１)にサックアッパー(５０)を配置する工程と、
Ｂ１) 図６Ｂに示すように、靴のアッパーフラップ(Ｐ)の縁部において、公知の手段によって、アッパー(５０)の周縁部(５０ｂ)を折り込み、引っ張り、そして固定する工程と、
Ｃ１) 図６Ｃに示すように、ヒール(１ｃ)に馬蹄フレーム(２)をダブテール方式で配置する工程と、
Ｄ１) 図６Ｄに示すように、公知の手段を用いてサックアッパー(５０)の下方に従来型のソール(６)配置し、かつ固定する工程と、
Ｅ１) 図６Ｅに示すように、公知の手段を用いてソール(６)の上にヒール層(７)を配置し、かつ固定する工程と、
Ｇ) 図６Ｆに示すように、靴型(１)から靴を取り外し、そして馬蹄形フレーム(２)によって囲まれたスペース(８)の中にぴったりと収容できるように、かつ、完成した靴(Ｓ)に永続的に組み込まれているように構成され、インサート（３）を覆う従来型インソール(９)の下側に覆われる、ヒール(１ｃ)と同一の形状およびサイズを備えた緩衝インサート(３)を嵌め込む工程と、を含む。
【００２４】
この場合において、「サック」アッパー(５０)に適切な開口(５０ｂ)があるために、インサート(３)はスペース(８)の内部へ収納される。
【図面の簡単な説明】
【００２５】
【図１】本発明の製造方法の実施のために使用される専用の「靴型」の側面図である。
【図２】本発明の製造方法の実施のために使用される専用の「靴型」の反位における、斜視図である。
【図３】本発明の製造方法用いて得られた靴の中に挿入されるように構成された緩衝インサートの概略図である。
【図４Ａ】本発明の方法の第１の好ましい実施形態に基づく、各製造段階における靴の長手方向平面での断面図である。
【図４Ｂ】本発明の方法の第１の好ましい実施形態に基づく、各製造段階における靴の長手方向平面での断面図である。
【図４Ｃ】本発明の方法の第１の好ましい実施形態に基づく、各製造段階における靴の長手方向平面での断面図である。
【図４Ｄ】本発明の方法の第１の好ましい実施形態に基づく、各製造段階における靴の長手方向平面での断面図である。
【図４Ｅ】本発明の方法の第１の好ましい実施形態に基づく、各製造段階における靴の長手方向平面での断面図である。
【図４Ｆ】本発明の方法の第１の好ましい実施形態に基づく、各製造段階における靴の長手方向平面での断面図である。
【図５Ａ】本発明の工程の第２の好ましい実施形態に基づく、各製造段階における靴の長手方向平面での断面図である。
【図５Ｂ】本発明の工程の第２の好ましい実施形態に基づく、各製造段階における靴の長手方向平面での断面図である。
【図５Ｃ】本発明の工程の第２の好ましい実施形態に基づく、各製造段階における靴の長手方向平面での断面図である。
【図５Ｄ】本発明の工程の第２の好ましい実施形態に基づく、各製造段階における靴の長手方向平面での断面図である。
【図５Ｅ】本発明の工程の第２の好ましい実施形態に基づく、各製造段階における靴の長手方向平面での断面図である。
【図５Ｆ】本発明の工程の第２の好ましい実施形態に基づく、各製造段階における靴の長手方向平面での断面図である。
【図６Ａ】本発明の工程の第３の好ましい実施形態に基づく、各製造段階における靴の長手方向平面での断面図である。
【図６Ｂ】本発明の工程の第３の好ましい実施形態に基づく、各製造段階における靴の長手方向平面での断面図である。
【図６Ｃ】本発明の工程の第３の好ましい実施形態に基づく、各製造段階における靴の長手方向平面での断面図である。
【図６Ｄ】本発明の工程の第３の好ましい実施形態に基づく、各製造段階における靴の長手方向平面での断面図である。
【図６Ｅ】本発明の工程の第３の好ましい実施形態に基づく、各製造段階における靴の長手方向平面での断面図である。
【図６Ｆ】本発明の工程の第３の好ましい実施形態に基づく、各製造段階における靴の長手方向平面での断面図である。
【図７】モカシンの製造に使用される、「サック」アッパーの概略図である。
【符号の説明】
【００２６】
１  靴型
１ａ  ヒール  
１ｂ  靴型中間ソール
１ｃ  ヒール
１ｃ’  前方縁部
２  フレーム
２ａ  下側ベース
３  インサート
４  従来型中間ソール
４ａ  中央部分
５  アッパー
５ａ  周縁部
６  ソール
７  ヒール層
８  スペース
９  インソール
５０  アッパー
５０ａ  開口
５０ｂ  アッパー周縁部
Ｂ  開口境界
Ｍ  スプリング
Ｐ  アッパーフラップ
Ｓ  靴
【図１】
2009523529.tif 000003
【図２】
2009523529.tif 000004
【図３】
2009523529.tif 000005
【図４Ａ】
2009523529.tif 000006
【図４Ｂ】
2009523529.tif 000007
【図４Ｃ】
2009523529.tif 000008
【図４Ｄ】
2009523529.tif 000009
【図４Ｅ】
2009523529.tif 000010
【図４Ｆ】
2009523529.tif 000011
【図５Ａ】
2009523529.tif 000012
【図５Ｂ】
2009523529.tif 000013
【図５Ｃ】
2009523529.tif 000014
【図５Ｄ】
2009523529.tif 000015
【図５Ｅ】
2009523529.tif 000016
【図５Ｆ】
2009523529.tif 000017
【図６Ａ】
2009523529.tif 000018
【図６Ｂ】
2009523529.tif 000019
【図６Ｃ】
2009523529.tif 000020
【図６Ｄ】
2009523529.tif 000021
【図６Ｅ】
2009523529.tif 000022
【図６Ｆ】
2009523529.tif 000023
【図７】
2009523529.tif 000024
【国際調査報告】
2009523529.tif 000025
2009523529.tif 000026